(57)【特許請求の範囲】
【請求項１】
モビリティに着脱可能且つ並列接続可能な複数のバッテリの個別残容量を算出する個別残容量算出部と、
前記個別残容量算出部によって算出された前記個別残容量に基づいて、複数の前記バッテリの合計残容量を算出する合計残容量算出部と、
前記個別残容量を示す個々のバッテリの表示及び前記合計残容量を示す仮想的な単一バッテリの表示を制御する表示制御部と、
前記表示制御部に対して表示・非表示を行うよう指示をする表示指示部と、
前記個別残容量及び前記合計残容量を表示する表示部と、
を備え、
前記表示制御部は、前記表示指示部からの指示により、前記モビリティの走行時に、前記表示部に前記合計残容量を示す仮想的な単一バッテリを表示させ、前記バッテリの交換時には、前記表示部に前記個別残容量を示す個々のバッテリを表示させるよう制御し、
前記表示指示部は、前記モビリティの走行時において前記バッテリの交換を行うステーションへの到着が近づいた場合に、前記合計残容量を示す表示から前記個別残容量を示す表示へ切り替えるよう前記表示制御部に指示することを特徴とした、
バッテリ残量表示装置。
【請求項２】
前記表示指示部は、ユーザの設定に基づいて、前記個別残容量の表示と、前記合計残容量の表示を切り替えるよう前記表示制御部に指示する、
請求項１に記載のバッテリ残量表示装置。
【請求項３】
ユーザからの操作を受け付ける入力部を更に備え、
前記表示指示部は、前記入力部へのユーザの操作に基づいて、前記個別残容量の表示と、前記合計残容量の表示を切り替えるよう指示する、
請求項１に記載のバッテリ残量表示装置。
【請求項４】
前記モビリティは、電動自動二輪車、電動自転車、電動アシスト自転車、あるいは電動工具である、
請求項１に記載のバッテリ残量表示装置。
【請求項５】
並列接続可能であり、モビリティに着脱可能な複数のバッテリと、
前記複数のバッテリの個別残容量を算出する個別残容量算出部と、
前記個別残容量算出部によって算出された前記個別残容量に基づいて、複数の前記バッテリの合計残容量を算出する合計残容量算出部と、
前記個別残容量を示す個々のバッテリの表示及び前記合計残容量を示す仮想的な単一バッテリの表示を制御する表示制御部と、
前記表示制御部に対して表示・非表示を行うよう指示をする表示指示部と、
前記個別残容量及び前記合計残容量を表示する表示部と、
を備え、
前記表示制御部は、前記表示指示部からの指示により、前記モビリティの走行時に、前記表示部に前記合計残容量を示す仮想的な単一バッテリを表示させ、前記バッテリの交換時には、前記表示部に前記個別残容量を示す個々のバッテリを表示させるよう制御し、
前記表示指示部は、前記モビリティの走行時において前記バッテリの交換を行うステーションへの到着が近づいた場合に、前記合計残容量を示す表示から前記個別残容量を示す表示へ切り替えるよう前記表示制御部に指示することを特徴とした、
バッテリシステム。
【請求項６】
モビリティに着脱可能且つ並列接続可能な複数のバッテリの個別残容量を算出する個別残容量算出工程と、
前記個別残容量算出工程によって算出された前記個別残容量に基づいて、複数の前記バッテリの合計残容量を算出する合計残容量算出工程と、
前記個別残容量を示す個々のバッテリ及び前記合計残容量を示す仮想的な単一バッテリの表示・非表示を指示する表示指示工程と、
前記表示指示工程からの指示により前記個別残容量の表示と前記合計残容量の表示を行うように表示部を制御する表示制御工程と、
前記表示制御工程による制御に基づいて、前記モビリティの走行時に、前記表示部に前記合計残容量を示す仮想的な単一バッテリを表示させ、前記バッテリの交換時には、前記表示部に前記個別残容量を示す個々のバッテリを表示する表示工程と、を備え、
前記表示指示工程において、前記モビリティの走行時に前記バッテリの交換を行うステーションへの到着が近づいた場合に、前記合計残容量を示す表示から前記個別残容量を示す表示へ切り替えるよう指示する、
バッテリ残量表示方法。
【発明の詳細な説明】
【技術分野】
【０００１】
本発明は、バッテリ残量表示装置、バッテリシステムおよびバッテリ残量表示方法に関する。
【背景技術】
【０００２】
従来、並列接続可能な複数のバッテリを備えた車両が提案されている（例えば、特許文献１参照。）。
特許文献１に示す車両は、車両の幅方向に間隔を隔てて複数のバッテリが配置可能に構成されている。そして、走行距離に応じて使用者によってバッテリの取り外し又は追加が行われる。
【０００３】
一方、近年、電動自動二輪車や電動自転車等のモビリティに搭載されたバッテリを、充電済みのバッテリを保有するステーションにおいて交換しながら利用するシステムが構築されている。
【先行技術文献】
【特許文献】
【０００４】
【特許文献１】特開２０１０−４６６６号公報
【発明の概要】
【発明が解決しようとする課題】
【０００５】
しかしながら、特許文献１に示すような並列接続可能な複数のバッテリの残容量についてユーザに対して表示する場合、以下のような問題点が発生することが考えられる。
すなわち、バッテリの残容量を表示する際、単に複数のバッテリの残容量をそれぞれ表示することが考えられるが、この場合、現在の残容量で現在地からの走行可能距離をユーザが判断し難い。
【０００６】
本発明の課題は、走行可能距離を把握し易いバッテリ残量表示装置、バッテリシステムおよびバッテリ残量表示方法を提供することにある。
【課題を解決するための手段】
【０００７】
第１の発明に係るバッテリ残量表示装置は、個別残容量算出部と、合計残容量算出部と、表示制御部と、表示指示部と、表示部と、を備える。個別残容量算出部は、電力消費体に着脱可能且つ並列接続可能な複数のバッテリの個別残容量を算出する。合計残容量算出部は、個別残容量算出部によって算出された個別残容量に基づいて、複数のバッテリの合計残容量を算出する。表示制御部は、個別残容量の表示及び合計残容量の表示を制御する。表示指示部は、表示制御部に対して表示・非表示を行うよう指示をする。表示部は、個別残容量及び合計残容量を表示する。表示制御部は、表示指示部からの指示により個別残量容量と合計残容量の少なくとも一方を表示部に表示するよう制御する。
【０００８】
このように、複数のバッテリの個別の残容量から残容量の合計を算出し、その残容量の合計を表示することによって、電力消費体が例えばモビリティのような移動体の場合、現在地からの走行可能距離をユーザが判断しやすくなる。
また、複数のバッテリの個別の残容量を表示することによって、ユーザは、交換が必要なバッテリを容易に把握できる。
【０００９】
また、例えば、バッテリ部の合計を割合表示することによって、総残容量が総量に対して何パーセントかを確認でき、より直感的に走行可能距離を把握できる。
また、例えば、合計残容量とともに個別残容量も表示してもよく、その場合、ステーションにおいてバッテリを交換する際に、ユーザは複数のバッテリのうちどのバッテリの残容量が少ないかを把握し易い。また、合計残容量も表示されているため、ユーザは現在地からの走行可能距離も直感的に把握できる。
【００１０】
また、例えば、個別残容量と合計残容量を切り替えて表示することができる。
第２の発明に係るバッテリ残量表示装置は、第１の発明に係るバッテリ残量表示装置であって、表示指示部は、電力消費体の駆動時に、表示部に合計残容量を表示させ、バッテリの交換時に、表示部に個別残容量を表示させるよう表示制御部に指示する。
これにより、電力消費体が例えばモビリティなどの移動体の場合、走行時には、残容量の合計を表示し、ステーションにおいてバッテリを交換する際には個別の残容量を表示することができる。
【００１１】
このため、ユーザは、ステーションにおいて交換するバッテリを把握し易くなるとともに、走行可能距離も直感的に把握できる。
第３の発明に係るバッテリ残量表示装置は、第１の発明に係るバッテリ残量表示装置であって、表示指示部は、ユーザの設定に基づいて、個別残容量の表示と、合計残容量の表示を切り替えるよう表示制御部に指示する。
【００１２】
これにより、ユーザの設定に基づいて、個別残容量表示と合計残容量表示を切り替えることができる。
第４の発明に係るバッテリ残量表示装置は、第１の発明に係るバッテリ残量表示装置であって、ユーザからの操作を受け付ける入力部を更に備える。表示指示部は、入力部へのユーザの操作に基づいて、個別残容量の表示と、合計残容量の表示を切り替えるよう表示制御部に指示する。
【００１３】
これにより、ユーザの入力（直接の操作）によって、個別残容量表示と合計残容量表示を切り替えることが出来る。
第５の発明に係るバッテリ表示装置は、第１の発明に係るバッテリ表示装置であって、電力消費体は、電動自動二輪車、電動自転車、電動アシスト自転車あるいは電動工具である。
【００１４】
ここでは、電力消費体として、電動自動二輪車、電動自転車を含むモビリティである移動体が挙げられる。また、電力消費体は、ドリル等の電動工具も含む。
これにより、複数のバッテリが搭載される電力消費体の各々のバッテリの残容量を算出し、合計の残容量を表示することができる。
第６の発明に係るバッテリシステムは、複数のバッテリと、個別残容量算出部と、合計残容量算出部と、表示制御部と、表示指示部と、表示指示部と、表示部と、を備える。複数のバッテリは、並列接続可能であり、電力消費体に着脱可能である。個別残容量算出部は、複数のバッテリの個別残容量を算出する。合計残容量算出部は、個別残容量算出部によって算出された個別残容量に基づいて、複数のバッテリの合計残容量を算出する。表示制御部は、個別残容量の表示及び合計残容量の表示を制御する。表示指示部は、表示制御部に対して表示・非表示を行うよう指示をする。表示部は、個別残容量及び合計残容量を表示する。表示制御部は、表示指示部からの指示により個別残量容量と合計残容量の少なくとも一方を表示部に表示するよう制御する。
【００１５】
これにより、複数のバッテリの各々の残容量に基づいて個別残容量とともに、若しくは個別残容量と別々に残容量の合計を表示することができる。
第７の発明に係るバッテリ残量表示方法は、個別残容量算出工程と、合計残容量算出工程と、表示指示工程と、表示制御工程と、表示工程とを備える。個別残容量算出工程は、電力消費体に着脱可能且つ並列接続可能な複数のバッテリの個別残容量を算出する。合計残容量算出工程は、個別残容量算出工程によって算出された個別残容量に基づいて、複数のバッテリの合計残容量を算出する。表示指示工程は、個別残容量及び合計残容量の表示・非表示を指示する。表示制御工程は、表示指示工程からの指示により個別残量容量の表示と合計残容量の表示を制御する。表示工程は、表示制御工程による制御に基づいて個別残容量及び合計残容量の少なくとも一方を表示する。
【００１６】
このように、複数のバッテリの個別の残容量から残容量の合計を算出し、その残容量の合計を表示することによって、電力消費体が例えばモビリティのような移動体の場合、現在地からの走行可能距離をユーザが判断しやすくなる。
また、複数のバッテリの個別の残容量を表示することによって、ユーザは、交換が必要なバッテリを容易に把握できる。
【００１７】
また、例えば、合計残容量とともに個別残容量も表示されてもよく、ステーションにおいてバッテリを交換する際に、ユーザは複数のバッテリのうちどのバッテリの残容量が少ないかを把握し易い。また、合計残容量も表示されているため、ユーザは現在地からの走行可能距離も直感的に把握できる。
また、例えば、個別残容量と合計残容量を切り替えて表示することができる。
【発明の効果】
【００１８】
本発明によれば、走行可能距離を把握し易いバッテリ残量表示装置、バッテリシステムおよびバッテリ残量表示方法を提供できる。
【図面の簡単な説明】
【００１９】
【図１】本発明にかかる実施の形態１におけるバッテリシステムおよびバッテリパックの交換を行うステーションを示す図。
【図２】図１のバッテリシステムの構成を示すブロック図。
【図３】図２のバッテリ残量表示装置による双方表示の表示例を示す図。
【図４】図２のバッテリ残量表示装置による合成残容量表示の表示例を示す図。
【図５】図２のバッテリ残量表示装置による個別残容量表示の表示例を示す図。
【図６】図２のバッテリ残量表示装置の動作を示すフロー図。
【発明を実施するための形態】
【００２０】
以下に、本発明の実施の形態に係るバッテリシステム、バッテリ残量表示装置およびバッテリ残量表示方法について、図面を参照しながら説明する。
（実施の形態１）
本発明にかかる実施の形態１におけるバッテリシステム１について説明する。
＜１．構成＞
（１−１．バッテリシステム１）
本実施形態のバッテリシステム１は、モビリティ２０に対して電力供給を行うシステムであって、図１に示すように、バッテリパック１０と、モビリティ２０と、を備えている。
【００２１】
バッテリパック１０は、図１に示すように、電動自動二輪車等のモビリティ２０に２本搭載されている。
モビリティ２０は、シート２０ａの下の空間に搭載された２本のバッテリパック１０から電力を供給されて、後輪（駆動輪）２２が回転駆動されることで、走行可能となる。
また、モビリティ２０は、走行や自然放電等によって残容量（残存容量ともいえる）が少なくなったバッテリパック１０を、所定のステーション１００において、充電済みのバッテリパック１０と交換しながら使用される、いわゆるバッテリスワップを利用可能である。ステーション１００は、図１に示すように複数のバッテリパック１０が挿入される挿入部１００ａを有している。これらの挿入部１００ａにバッテリパック１０が配置されている。なお、ステーション１００は、ガソリンスタンドのように複数個所に配置されている。
【００２２】
（１−２．バッテリパック１０）
本実施形態のバッテリパック１０は、モビリティ２０に対して電力を供給するために、モビリティ２０に対して交換可能に２本搭載されている。ここで、２本のバッテリパック１０を区別する際には、バッテリパック１０Ａ、１０Ｂと符号を付して説明する。
バッテリパック１０Ａは、図２に示すように、ＢＭＵ（Battery Management Unit）１１Ａを有しており、ＢＭＵ１１Ａは、バッテリパック１０Ａの電圧、電流の制御を行う。同様に、バッテリパック１０Ｂは、ＢＭＵ１１Ｂを有しており、ＢＭＵ１１Ｂは、バッテリパック１０Ｂの電圧、電流の制御を行う。
【００２３】
バッテリパック１０Ａ、１０Ｂは、電力を蓄積または放出する。２本のバッテリパック１０Ａ、１０Ｂは、モビリティ２０において電気的に並列接続される。このため、２本のバッテリパック１０のうちいずれか１本のバッテリパック１０のみがモビリティ２０に装着されている場合であってもモータ２１に電力を供給することが可能であり、モビリティ２０は走行できる。
【００２４】
（１−３．モビリティ２０）
モビリティ２０は、シート２０ａの下に搭載された２本のバッテリパック１０から電力を供給されて走行する電動自動二輪車であって、図２に示すように、モータ２１と、後輪（駆動輪）２２と、前輪２３（図１参照）と、バッテリ残量表示装置３０と、を有している。
【００２５】
モータ２１は、バッテリパック１０から電力供給を受けて、駆動輪となる後輪２２の車軸に対して回転駆動力を伝達する。
前輪２３は、モビリティ２０の前部と路面との間に設けられた操舵輪であって、ハンドル２０ｂの向きに連動して向きを変えることで、走行方向を切り替えることができる。
後輪２２は、バッテリパック１０が搭載されたモビリティ２０の後部と路面との間に設けられた駆動輪であって、モータ２１によって回転駆動される。
【００２６】
バッテリ残量表示装置３０は、各々のバッテリパック１０の残容量を算出して表示を行う。
（１−４．バッテリ残量表示装置３０）
バッテリ残量表示装置３０は、複数のバッテリ情報格納部３１と、複数の残容量算出部３２と、合成残容量算出部３３と、表示部３４と、表示制御部３５と、表示指示部３６と、記憶部３７と、入力部３８と、を備えている。
【００２７】
バッテリ情報格納部３１は、バッテリパック１０ごとに設けられており、バッテリパック１０からの電流値およびそれらの積算値などの情報を格納する。本実施の形態では、２本のバッテリパック１０がモビリティ２０に装着されるため、バッテリ残量表示装置３０は、２つのバッテリ情報格納部３１を備えている。２つのバッテリ情報格納部３１を区別して説明する際には、３１Ａ、３１Ｂと示す。そして、バッテリ情報格納部３１Ａは、バッテリパック１０Ａからの情報を格納し、バッテリ情報格納部３１Ｂは、バッテリパック１０Ｂからの情報を格納する。
【００２８】
残容量算出部３２は、バッテリ情報格納部３１ごとに設けられており、バッテリ情報格納部３１に格納されている情報に基づいてバッテリパック１０の残容量を算出する。本実施の形態のバッテリ残量表示装置３０は、２つのバッテリ情報格納部３１を備えているため、２つの残容量算出部３２が設けられている。なお、２つの残容量算出部３２を区別して説明する際には、３２Ａ、３２Ｂと示す。そして、残容量算出部３２Ａは、バッテリ情報格納部３１Ａの情報に基づいてバッテリパック１０Ａの残容量を推定する。残容量算出部３２Ｂは、バッテリ情報格納部３１Ｂの情報に基づいてバッテリパック１０Ｂの残容量を推定する。
【００２９】
合成残容量算出部３３は、それぞれの残容量算出部３２で算出されたバッテリパック１０の残容量を合成して、複数のバッテリパック１０の合成残容量割合を算出する。算出式としては、以下の式が用いられる。
【００３０】
【数１】
0006707843.tif 000002
【００３１】
この算出式によって、ｎ個のバッテリパック１０が搭載される場合の合成残容量割合を算出できる。例えば、バッテリパック１０Ａ、１０Ｂの満充電容量を１．０ｋｗｈとし、現在のバッテリパック１０Ａの残容量が０．３ｋｗｈであり、バッテリパック１０Ｂの残容量が０．７ｋｗｈの場合、バッテリパック１０Ａの満充電容量に対する残容量割合が０．３（３０％）となり、バッテリパック１０Ｂの満充電容量に対する残容量割合が０．７（７０％）となる。そして、バッテリパック１０Ａ、１０Ｂの残容量割合を足して２個で割って１００を掛けることによって、バッテリパック１０Ａ、１０Ｂの合成残容量割合が５０％と求められる。
【００３２】
表示制御部３５は、それぞれの残容量算出部３２で算出されたバッテリパック１０の個別の残容量、および合成残容量算出部３３で算出された合成残容量割合を表示させるように表示部３４を制御する。
記憶部３７は、残容量算出部３２によって算出された各々のバッテリパック１０の残容量と、合成残容量算出部３３によって算出された合成残容量のデータを記憶する。
【００３３】
表示指示部３６は、表示制御部３５に対して、個別残容量割合の表示または非表示と、合成残容量割合の表示または非表示の指示を行う。
すなわち、表示指示部３６は、個別残容量割合および合成残容量割合を表示する場合（後述する図３に示す双方表示３５０参照）、合成残容量割合のみを表示する場合（後述する図４に示す合成残容量表示３４３参照）、個別残容量割合のみを表示する場合（後述する図５に示す個別残容量表示３４４参照）のいずれかを指示する。
【００３４】
入力部３８は、ユーザの操作を受け付ける。ユーザの入力部３８に対する操作に基づいて、表示指示部３６は、表示制御部３５に双方表示３５０、合成残容量表示３４３、個別残容量表示３４４のいずれかの表示の指示を行う。入力部３８は、例えばスイッチのようなものが挙げられ、タッチパネルなどであってもよい。例えば、スイッチを１回押すごとに、双方表示３５０、合成残容量表示３４３、および個別残容量表示３４４が切り替わる構成でもよいし、それぞれを表示させるスイッチが設けられた構成であってもよい。
【００３５】
表示部３４は、表示制御部３５によって制御され、合成残容量算出部３３で求められたバッテリパック１０Ａ、１０Ｂの合成残容量および、バッテリパック１０Ａ、１０Ｂの個別の残容量割合（パーセント表示）の少なくとも一方を表示する。
図３は、表示部３４において個別残容量割合および合成残容量割合を表示する場合の表示の一例を示す図である。表示部３４は、ハンドル２０ｂの間に設けられており、図３に示すように、スピードメータ４１の隣に設けられている。表示部３４には、個別残容量割合および合成残容量割合の双方を表示する双方表示３５０が行われている。双方表示３５０は、合成残容量表示３４０と、第１残容量表示３４１と、第２残容量表示３４２を含む。第１残容量表示３４１は、バッテリパック１０Ａの残容量割合を表示し、一例として上述した３０％を示している。また、第２残容量表示３４２は、バッテリパック１０Ｂの残容量割合を表示し、一例として上述した７０％を示している。
【００３６】
また、合成残容量表示３４０は、バッテリパック１０Ａの残容量とバッテリパック１０Ｂの残容量を合成して求められた合成残容量割合を表示する。図３では、合成残容量表示３４０は、一例として上述した５０％を示す。
図４は、表示部３４において合成残容量割合を表示し個別残容量割合を非表示とする場合の表示の一例を示す図である。図４に示すように、表示部３４にバッテリパック１０Ａとバッテリパック１０Ｂの合成残容量表示３４３が行われている。
【００３７】
図５は、表示部３４において、個別残容量割合を表示し合成残容量割合を非表示とする場合の表示の一例を示す図である。図５に示すように、表示部３４にバッテリパック１０Ａとバッテリパック１０Ｂの個別残容量表示３４４が行われている。個別残容量表示３４４は、第１残容量表示３４４ａにおいてバッテリパック１０Ａの残容量を表示し、第２残容量表示３４４ｂにおいてバッテリパック１０Ｂの残容量を表示する。
【００３８】
＜２．動作＞
次に、本実施の形態のバッテリシステム１の動作を説明するとともに、本発明のバッテリ残量表示方法の一例についても同時に述べる。図６は、バッテリ残量表示方法を示すフロー図である。
図６に示すように、ステップＳ１１において、バッテリパック１０ＡのＢＭＵ１１Ａから電流データがバッテリ情報格納部３１Ａに格納され、バッテリパック１０ＢのＢＭＵ１１Ｂから電流データがバッテリ情報格納部３１Ｂに格納される。
【００３９】
次に、ステップＳ１２において、残容量算出部３２Ａが、バッテリ情報格納部３１Ａに格納されている電流データに基づいて電流を積算し、残容量算出部３２Ｂが、バッテリ情報格納部３１Ｂに格納されている電流データに基づいて電流を積算する。
次に、ステップＳ１３において、残容量算出部３２Ａは、バッテリパック１０Ａの容量から積算した電流量を減じることによって、現在のバッテリパック１０Ａの残容量を算出する。上述した例では、残容量算出部３２Ａは、バッテリパック１０Ａの残容量を０．３ｋｗｈと算出する。また、残容量算出部３２Ｂは、バッテリパック１０Ｂの容量から積算した電流量を減じ、現在のバッテリパック１０Ｂの残容量を算出する。上述した例では、残容量算出部３２Ｂは、バッテリパック１０Ｂの残容量を０．７ｋｗｈと算出する。
【００４０】
次に、ステップＳ１４において、残容量算出部３２Ａは、バッテリパック１０Ａの容量と残容量の割合を算出し、残容量算出部３２Ｂは、バッテリパック１０Ｂの容量と残容量の割合を算出する。上述した例では、残容量算出部３２Ａは、割合を０．３（０．３ｋｗｈ／１．０ｋｗｈ）と算出し、残容量算出部３２Ｂは、割合を０．７（０．７ｋｗｈ／１．０ｋｗｈ）と算出する。ステップＳ１２〜Ｓ１４は、個別残容量算出工程の一例に対応する。
【００４１】
次に、ステップＳ１５において、入力部３８に双方表示３５０を行うように入力が行われていたかどうかが判定される。
ここで、ユーザによって双方表示３５０を行う旨の入力が行われていた場合には、ステップＳ１６において、合成残容量算出部３３が、バッテリパック１０Ａとバッテリパック１０Ｂの合成残容量を算出する。上記例では、（数１）を用いてバッテリパック１０Ａの容量に対する残容量の割合０．３（３０％）と、バッテリパック１０Ｂの容量に対する残容量の割合０．７（７０％）を足し合わせてバッテリパック１０の個数２で割ることによって、合成残容量割合が０．５（５０％）と求められる。ステップＳ１６は、合成残容量算出工程の一例に対応する。
【００４２】
次に、ステップＳ１７において、表示制御部３５は、記憶部３７に記憶されている合成残容量のデータと、記憶部３７に記憶されているバッテリパック１０Ａの残容量およびバッテリパック１０Ｂの残容量のデータとを更新する。
次に、ステップＳ１８において、表示制御部３５は、表示部３４を制御して、表示部３４は、上記ステップＳ１７で更新したデータに基づいて双方表示３５０（合成残容量表示３４０、第１残容量表示３４１および第２残容量表示３４２）を行う。ステップＳ１８は、表示工程の一例に対応する。
【００４３】
一方、ステップＳ１５において、双方表示３５０を行うよう入力が行われていない場合には、ステップＳ１９において、入力部３８に合成値を表示する旨の入力が行われていたかどうかが判定される。
ここで、ユーザによって合成値を表示する旨の入力が行われていた場合には、ステップＳ２０において、バッテリパック１０Ａ、１０Ｂの合成残容量割合が算出される。このステップＳ２０では、ステップＳ１６と同様に（数１）を用いた演算が行われ、合成残容量割合が算出される。ステップＳ２０は、合成残容量算出工程の一例に対応する。
【００４４】
次に、ステップＳ２１において、表示制御部３５は、合成残容量算出部３３によって算出された合成残容量のデータによって、記憶部３７に記憶されている合成残容量のデータを更新する。そしてステップＳ２２において、表示制御部３５は、更新した合成残容量割合のデータに基づいて、表示部３４に合成残容量表示３４３（図４参照）を行わせる。ステップＳ２２は、表示工程の一例に対応する。
【００４５】
一方、ステップＳ１９において、入力部３８に合成値を表示する旨の入力が行われていない場合（個別残容量を表示する旨の入力が行われている場合ともいえる）には、ステップＳ２３において、表示制御部３５は、残容量算出部３２Ａ、３２Ｂによって算出された個別残容量のデータによって、記憶部３７に記憶されているバッテリパック１０Ａ、１０Ｂの個別残容量のデータを更新する。
【００４６】
次に、ステップＳ２４において、表示制御部３５は、更新された残容量割合のデータに基づいて表示部３４に個別残容量表示３４４（図５参照）を行わせる。ステップＳ２４は、表示工程の一例に対応する。
なお、モビリティ２０の電源がオンの状態では、ステップＳ１１〜ステップＳ２４が繰り返され、双方表示３５０、合成残容量表示３４３および個別残容量表示３４４は、現在におけるバッテリパック１０Ａ、１０Ｂの合成残容量割合と個別の残容量割合を表示する。
また、モビリティ２０の電源がオフされた場合には、バッテリ残量の表示制御は終了する。
【００４７】
＜３．特徴等＞
（３−１）
本実施の形態のバッテリ残量表示装置３０は、残容量算出部３２Ａ、３２Ｂと、合成残容量算出部３３と、表示制御部３５と、表示指示部３６と、表示部３４と、を備える。残容量算出部３２Ａ、３２Ｂは、モビリティ２０に着脱可能且つ並列接続可能な複数のバッテリパック１０Ａ、１０Ｂの個別残容量を算出する。合成残容量算出部３３は、残容量算出部３２Ａ、３２Ｂによって算出された個別残容量に基づいて、複数のバッテリパック１０Ａ、１０Ｂの合成残容量割合を算出する。表示制御部３５は、個別残容量の表示及び合計残容量の表示を制御する。表示指示部３６は、表示制御部３５に対して表示・非表示を行うよう指示をする。表示部３４は、個別残容量及び合成残容量（合計残容量の一例）を表示する。表示制御部３５は、表示指示部３６からの指示により個別残量容量と合成残容量の少なくとも一方を表示部３４に表示するよう制御する。
【００４８】
このように、複数のバッテリパック１０Ａ，１０Ｂの個別の残容量を取得して合成残容量割合を算出し、合成残容量割合を表示することによって、現在地からの走行可能距離をユーザが判断を行いやすくなる。
また、複数のバッテリパック１０Ａ、１０Ｂの個別の残容量を表示することによって、ユーザは、交換が必要なバッテリパック１０Ａ、１０Ｂを容易に把握できる。
【００４９】
また、例えば、バッテリパック１０Ａ，１０Ｂの合計を割合表示することによって、総残容量が総量に対して何パーセントかを確認でき、より直感的に走行可能距離を判断できる。
また、例えば、双方表示３５０に示すように、合成残容量割合とともに個別の残容量割合も表示できるため、ステーション１００においてバッテリパック１０を交換する際に、ユーザは複数のバッテリパック１０のうちどのバッテリパック１０の残容量が少ないかを把握し易い。また、ユーザは、合成残容量割合も表示されているため、現在地からの走行可能距離も直感的に把握できる。
また、例えば、個別残容量と合成残容量を切り替えて表示することができる。
【００５０】
（３−２）
本実施の形態のバッテリ残量表示装置３０は、ユーザからの操作を受け付ける入力部３８を更に備える。表示指示部３６は、入力部３８へのユーザの操作に基づいて、個別残容量の表示と、合成残容量の表示を切り替えるよう表示制御部３５に指示する。
【００５１】
これにより、ユーザの設定に基づいて、個別残容量表示と合成残容量表示を切り替えることができる。
また、走行時には、合成残容量割合を表示し、ステーション１００においてバッテリパック１０を交換する際には個別の残容量割合を表示することができる。
このため、ユーザは、ステーション１００において交換するバッテリパック１０を把握し易くなるとともに、走行可能距離も直感的に把握できる。
【００５２】
（３−３）
本実施の形態のバッテリ残量表示装置３０では、モビリティ２０は、電動自動二輪車、あるいは電動自転車である。
ここでは、モビリティ２０として、電動自動二輪車、電動自転車を含むモビリティを用いている。
これにより、複数のバッテリパック１０Ａ、１０Ｂが搭載されるモビリティ２０の各々のバッテリパック１０の残容量を算出し、合成残容量を表示することができる。
【００５３】
（３−４）
本実施の形態のバッテリシステム１は、複数のバッテリパック１０と、残容量算出部３２Ａ、３２Ｂと、合成残容量算出部３３と、表示制御部３５と、表示指示部３６と、表示部３４と、を備える。複数のバッテリパック１０は、並列接続可能であり、モビリティ２０に着脱可能である。残容量算出部３２Ａ、３２Ｂは、モビリティ２０に着脱可能且つ並列接続可能な複数のバッテリパック１０Ａ、１０Ｂの個別残容量を算出する。合成残容量算出部３３は、残容量算出部３２Ａ、３２Ｂによって算出された個別残容量に基づいて、複数のバッテリパック１０Ａ、１０Ｂの合成残容量割合を算出する。表示制御部３５は、個別残容量の表示及び合計残容量の表示を制御する。表示指示部３６は、表示制御部３５に対して表示・非表示を行うよう指示をする。表示部３４は、個別残容量及び合計残容量を表示する。表示制御部３５は、表示指示部３６からの指示により個別残量容量と合計残容量の少なくとも一方を表示部３４に表示するよう制御する。
これにより、バッテリシステム１は、複数のバッテリパック１０Ａ、１０Ｂの各々の残容量を取得し、合成残容量割合を表示することができる。
【００５４】
（３−５）
本実施の形態１のバッテリ残量表示方法は、ステップＳ１２〜Ｓ１４（個別残容量算出工程の一例）と、ステップＳ１６、Ｓ２０（合計残容量算出工程の一例）と、ステップＳ１５、Ｓ１９（表示指示工程の一例）と、ステップＳ１８、Ｓ２２、Ｓ２４（表示制御工程および表示工程の一例）とを備える。ステップＳ１２〜Ｓ１４は、モビリティ２０に着脱可能且つ並列接続可能な複数のバッテリパック１０Ａ、１０Ｂの各々の残容量を算出する。ステップＳ１６、Ｓ２０は、ステップＳ１２〜Ｓ１４によって算出された複数のバッテリパック１０Ａ、１０Ｂの個別残容量に基づいて、複数のバッテリパック１０Ａ、１０Ｂの合成残容量割合を算出する。ステップＳ１５、Ｓ１９は、個別残容量及び合計残容量の表示・非表示を指示する。ステップＳ１８、Ｓ２２、Ｓ２４は、ステップＳ１５、Ｓ１９からの指示により個別残量容量の表示と合計残容量の表示を制御し、その制御に基づいて個別残容量及び合計残容量の少なくとも一方を表示する。
【００５５】
このように、複数のバッテリパック１０Ａ、１０Ｂの個別の残容量から残容量の合計を算出し、その残容量の合計を表示することによって、現在地からの走行可能距離をユーザが判断しやすくなる。また、複数のバッテリパック１０の個別の残容量を表示することによって、ユーザは、交換が必要なバッテリパック１０を容易に把握できる。
【００５６】
＜４．他の実施形態＞
以上、本発明の一実施形態について説明したが、本発明は上記実施形態に限定されるものではなく、発明の要旨を逸脱しない範囲で種々の変更が可能である。
【００５７】
（Ａ）
上記実施の形態では、双方表示３５０、合成残容量表示３４３および個別残容量表示３４４を切り替えて表示部３４に表示させているが、、双方表示３５０を行わず、合成残容量表示３４３と個別残容量表示３４４だけが入力部３８による切り替えによって表示部３４に表示させてもよい。
【００５８】
（Ｂ）
上記実施の形態では、バッテリパック１０Ａ、１０Ｂの残容量が割合表示されているが、これに限られず、現在の残容量値（図３の例では、０．３ｋｗｈ、０．７ｋｗｈ）を表示してもよいし、現在の残容量値とともに満充電容量を表示してもよい。また、残容量の合計として、複数のバッテリパック１０を１つのバッテリパック１０と見たてて合成残容量が割合表示されているが、残容量値の合計（図３の例では、１．０ｋｗｈ）を表示してもよいし、現在の残容量値の合計とともに、複数のバッテリパック１０Ａ，１０Ｂの満充電容量の総量（図３の例では、２．０ｋｗｈ）を表示しても良い。
要するに、ユーザが複数のバッテリパック１０の合計の残容量を確認できれば良い。また、ユーザが複数のバッテリパック１０のそれぞれの残容量を確認できればよい。
【００５９】
（Ｃ）
上記実施の形態では、バッテリ残量表示装置３０が、バッテリパック１０Ａ，１０Ｂのそれぞれの残容量を算出しているが、それぞれの残容量がバッテリパック１０Ａ、１０Ｂにおいて算出されバッテリ残量表示装置３０に送信されてもよい。すなわち、バッテリパック１０Ａ、１０Ｂのそれぞれに、蓄電部（バッテリの一例に対応する）と、蓄電部の残容量を算出する個別残容量算出部が設けられていてもよい。この場合、バッテリ残量表示装置３０には、バッテリ情報格納部３１Ａ，３１Ｂおよび残容量算出部３２Ａ，３２Ｂは設けられていなくてもよい。
【００６０】
（Ｄ）
上記実施の形態では、入力部３８へのユーザの入力に基づいて、表示指示部３６は、表示部３４に、合成残容量表示３４３と個別残容量表示３４４の間を切り替えさせているが、例えば、表示指示部３６がナビゲーションシステムなどに組み込まれており、走行中は合成残容量表示３４３が行われ、ステーション１００への到着が近づいた場合に、個別残容量表示３４４に切り替えるような制御が行われても良い。
【００６１】
（Ｅ）
上記実施の形態では、２つのバッテリパック１０が設けられているが、２つに限られず、３つ以上のバッテリパック１０が設けられていてもよい。この場合、図３および図７に示す個別の残容量の表示の数はバッテリパック１０の数に合わせて増加する。
【００６２】
（Ｆ）
上記実施の形態では、電気消費体として、例えば、電動自動二輪車を用いて説明したが、電動自転車、電動アシスト自転車、電動一輪車、電気自動車（ＥＶ）、ＰＨＶ（Plug-in Hybrid Vehicle）等のモビリティ等であってもよい。
更に、電気消費体は、一例として、ドリル等の電動工具が挙げられる。
【産業上の利用可能性】
【００６３】
本発明のバッテリ残量表示装置、バッテリシステムおよびバッテリ残量表示方法は、走行可能距離を把握し易いという効果を有し、交換可能なバッテリによって駆動されるモビリティに対して広く適用可能である。
【符号の説明】
【００６４】
１      ：バッテリシステム
１０、１０Ａ、１０Ｂ    ：バッテリパック（バッテリの一例）
１１Ａ、１１Ｂ      ：ＢＭＵ
２０      ：モビリティ（電力消費体の一例）
２０ａ    ：シート
２０ｂ    ：ハンドル
２１      ：モータ
２２      ：後輪
２３      ：前輪
３０      ：バッテリ残量表示装置
３１、３１Ａ、３１Ｂ    ：バッテリ情報格納部
３２、３２Ａ、３２Ｂ    ：残容量算出部（個別残容量算出部の一例）
３３      ：合成残容量算出部（合計残容量算出部の一例）
３４      ：表示部
３５      ：表示制御部
３６      ：表示指示部
３７      ：記憶部
３８      ：入力部
４１      ：スピードメータ
１００    ：ステーション
１００ａ  ：挿入部
３４０    ：合成残容量表示
３４１    ：第１残容量表示
３４２    ：第２残容量表示
３４３    ：合成残容量表示
３４４    ：個別残容量表示
３４４ａ  ：第１残容量表示
３４４ｂ  ：第２残容量表示
３５０    ：双方表示
【図１】
0006707843.tif 000003
【図２】
0006707843.tif 000004
【図３】
0006707843.tif 000005
【図４】
0006707843.tif 000006
【図５】
0006707843.tif 000007
【図６】
0006707843.tif 000008